(57)【要約】      （修正有）【課題】複数のユニットによって構成される電子機器の集音機能をより多様なものとするマイク装置、マイク制御方法及びプログラムを提供する。【解決手段】撮影装置は、着脱状態または連結状態をとることが可能なカメラユニット１０と表示ユニット２０とを含む。更にカメラユニット１０は、撮像方向から互いに異なる方向に指向方向が設定されたマイク１０Ａ、１０Ｂを備える。表示ユニット２０は、表示方向と同一指向方向が設定されたマイク２０Ａを備える。カメラユニット１０と表示ユニット２０との着脱状態または連結状態に応じて、マイク１０Ａ、１０Ｂの少なくともどちらかを含む２つのマイクが選択される。【選択図】図４
2019062317.tif 000002
【特許請求の範囲】
【請求項１】
着脱状態または連結状態をとることが可能な第１のユニットと第２のユニットとを含み、
前記第１のユニットは、当該第１のユニットにおいて基準とする第１の方向から互いに異なる方向に指向方向が設定された複数のマイクを備え、
前記第２のユニットは、当該第２のユニットにおいて基準とする第２の方向と同一または異なる方向に指向方向が設定された１つのマイクを備え、
前記第１のユニットと前記第２のユニットとの着脱状態または連結状態に応じて、少なくとも前記複数のマイクの１つを含む２つのマイクを選択する第１の選択手段、
を備えることを特徴とするマイク装置。
【請求項２】
前記第１の選択手段により選択された２つのマイクに基づいて、録音方式をＡＢ方式のステレオ録音またはＸＹ方式のステレオ録音のいずれかに設定する録音方式設定手段を更に備えることを特徴とする請求項１に記載のマイク装置。
【請求項３】
前記第２のユニットに備えられた前記マイクは、前記第１のユニットと前記第２のユニットとが特定の連結状態となる場合に、前記第１のユニットに備えられた複数のマイクの一方と近接する位置に設置されると共に、この近接したマイクの指向方向と交差する指向方向に設定されることを特徴とする請求項１又は２に記載のマイク装置。
【請求項４】
前記第１のユニットは、撮像手段を更に備え、
前記第１の方向とは前記撮像手段の撮像方向であることを特徴とする請求項２に記載のマイク装置。
【請求項５】
前記複数のマイクは、前記撮像手段の撮影方向よりも外方に向けて夫々の指向方向が設定されることを特徴とする請求項４に記載のマイク装置。
【請求項６】
前記撮像手段を使用する予め用意された複数の撮影モードから特定の撮影モードを選択する第２の選択手段を更に備え、
前記録音方式設定手段は、前記第１の選択手段によって選択された２つのマイクと、更に、前記第２の選択手段によって選択された特定の撮影モードとに基づいて、録音方式を設定することを特徴とする請求項４または５に記載のマイク装置。
【請求項７】
前記特定の撮影モードには自撮りモードが含まれ、
前記録音方式設定手段は、前記自撮りモードにおいて、前記第１のユニットと前記第２のユニットとが前記特定の連結状態の時は、前記複数のマイクの一方と、前記第２のユニットの前記マイクとによるＡＢ方式のステレオ録音に設定する一方、前記第１のユニットと前記第２のユニットとが前記特定の連結状態以外の時は、前記複数のマイクによるＸＹ方式のステレオ録音に設定することを特徴とする請求項６に記載のマイク装置。
【請求項８】
前記第２のユニットは、表示手段を更に備え、
前記第２の方向とは前記表示手段の表示方向であることを特徴とする請求項１乃至７のいずれかに記載のマイク装置。
【請求項９】
録音された音声の再生を実行する再生処理手段を更に備え、
前記再生処理手段は、前記第１のユニット及び前記第２のユニットに備えられた複数のマイクによって録音された音声のデータの中から、再生に使用する音声のデータの指定を受け付け、指定された音声のデータを録音した前記マイクの位置関係に応じた録音方式に従って、音声を再生することを特徴とする請求項１乃至８のいずれかに記載のマイク装置。
【請求項１０】
前記複数のユニットそれぞれの加速度を検出する加速度検出手段と、
検出された前記ユニットそれぞれにおける加速度のパターンの一致状態に基づいて、前記複数のユニットの着脱状態または連結状態を検出する状態検出手段と、
を備えることを特徴とする請求項１乃至９のいずれかに記載のマイク装置。
【請求項１１】
着脱状態または連結状態をとることが可能な第１のユニットと第２のユニットとを含み、前記第１のユニットは、当該第１のユニットにおいて基準とする第１の方向から互いに異なる方向に指向方向が設定された複数のマイクを備え、前記第２のユニットは、当該第２のユニットにおいて基準とする第２の方向と同一または異なる方向に指向方向が設定された１つのマイクを備える電子機器のマイク制御方法であって、
前記第１のユニットと前記第２のユニットとの着脱状態または連結状態に応じて、少なくとも前記複数のマイクの１つを含む２つのマイクを選択するステップを含むことを特徴とするマイク制御方法。
【請求項１２】
着脱状態または連結状態をとることが可能な第１のユニットと第２のユニットとを含み、前記第１のユニットは、当該第１のユニットにおいて基準とする第１の方向から互いに異なる方向に指向方向が設定された複数のマイクを備え、前記第２のユニットは、当該第２のユニットにおいて基準とする第２の方向と同一または異なる方向に指向方向が設定された１つのマイクを備える電子機器を制御するコンピュータを、
前記第１のユニットと前記第２のユニットとの着脱状態または連結状態に応じて、少なくとも前記複数のマイクの１つを含む２つのマイクを選択する選択手段として機能させることを特徴とするプログラム。
【発明の詳細な説明】
【技術分野】
【０００１】
本発明は、マイク装置、マイク制御方法及びプログラムに関する。
【背景技術】
【０００２】
従来、複数のユニットによって構成され、ユニット同士の着脱や連結状態を変化させることが可能な撮影装置が知られている。
例えば、撮像素子を有するカメラユニットと、ディスプレイを有する表示ユニットとが分離可能に構成されたデジタルカメラや、カメラに対してヒンジによって連結されたディスプレイの向きをカメラの撮影方向に対して変化させることが可能なデジタルカメラ等が知られている（例えば、特許文献１参照）。
このような撮影装置においては、標準的な撮影や自撮り撮影等、多様な撮影形態を提供することが可能である。
【先行技術文献】
【特許文献】
【０００３】
【特許文献１】特開２０１７−３４５７０号公報
【発明の概要】
【発明が解決しようとする課題】
【０００４】
しかしながら、従来の撮影装置においては、多様な撮影形態を提供することは可能であるものの、音声の録音に関しては限定された録音形態が提供されるのみであった。例えば、特許文献１においては、分離されたカメラ部と表示部との向きに応じて、ステレオ音声信号の左右を入れ替えることが記載されているものの、このような制御は、通常の撮影における音声の録音と同様の機能を達成することが図られているのみである。
【０００５】
本発明は、このような状況に鑑みてなされたものであり、複数のユニットによって構成される電子機器の集音機能をより多様なものとすることを目的とする。
【課題を解決するための手段】
【０００６】
上記目的を達成するため、本発明の一態様のマイク装置は、着脱状態または連結状態をとることが可能な第１のユニットと第２のユニットとを含み、
前記第１のユニットは、当該第１のユニットにおいて基準とする第１の方向から互いに異なる方向に指向方向が設定された複数のマイクを備え、
前記第２のユニットは、当該第２のユニットにおいて基準とする第２の方向と同一または異なる方向に指向方向が設定された１つのマイクを備え、
前記第１のユニットと前記第２のユニットとの着脱状態または連結状態に応じて、少なくとも前記複数のマイクの１つを含む２つのマイクを選択する第１の選択手段、
を備えることを特徴とする。
【発明の効果】
【０００７】
本発明によれば、複数のユニットによって構成される電子機器の集音機能をより多様なものとすることができる。
【図面の簡単な説明】
【０００８】
【図１Ａ】本発明の一実施形態に係る撮影装置の外観構成を示す模式図であり、カメラユニットと表示ユニットとが一体となった状態を示す図である。
【図１Ｂ】本発明の一実施形態に係る撮影装置の外観構成を示す模式図であり、カメラユニットと表示ユニットとが分離された状態を示す図である。
【図２】カメラユニットにおけるマイクの設置形態を示す模式図である。
【図３】表示ユニットにおけるマイクの設置状態を示す模式図である。
【図４】カメラユニットと表示ユニットとが連結されている際のマイクの設置形態を示す模式図である。
【図５】カメラユニットのハードウェア構成を示すブロック図である。
【図６】表示ユニットのハードウェアの構成を示すブロック図である。
【図７】表示ユニットの機能的構成のうち、撮影制御処理及び再生処理を実行するための機能的構成を示す機能ブロック図である。
【図８】図７の機能的構成を有する図１の表示ユニットが実行する撮影制御処理の流れを説明するフローチャートである。
【図９】図７の機能的構成を有する図１の表示ユニットが実行する再生処理の流れを説明するフローチャートである。
【図１０】チルト式の撮影装置に本発明を適用した例を示す模式図である。
【図１１】スイバル式の撮影装置に本発明を適用した例を示す模式図である。
【発明を実施するための形態】
【０００９】
以下、本発明の実施形態について、図面を用いて説明する。
本実施形態に係るマイク装置、電子機器としての撮影装置は、複数のユニットによって構成され、ユニット同士の着脱状態（分離しているか一体であるか）及び連結状態（連結されたユニット間の位置関係）を変化させることが可能な構成を有している。
以下、一例として、撮影を行う機能を備えたカメラユニットと、撮影された画像等を表示する表示ユニットとに分離可能な撮影装置を例に挙げて説明する。
【００１０】
図１Ａ及び図１Ｂは、本発明の一実施形態に係る撮影装置１の外観構成を示す模式図であり、図１Ａは、カメラユニット１０と表示ユニット２０とが一体となった状態、図１Ｂは、カメラユニット１０と表示ユニット２０とが分離された状態を示している。なお、図１Ａにおいては、カメラユニット１０及び表示ユニット２０に設定された直交座標系が併せて示されており、奥行き方向をｘ軸、左右方向をｙ軸、上下方向をｚ軸に設定されている。
【００１１】
図１Ａ及び図１Ｂに示すように、本実施形態に係る撮影装置１は、着脱可能なカメラユニット１０及び表示ユニット２０によって構成され、これらは、Ｂｌｕｅｔｏｏｔｈ  ｌｏｗ  ｅｎｅｒｇｙ／Ｂｌｕｅｔｏｏｔｈ  ＬＥ（以下、「ＢＬＥ」と称する。）（登録商標）あるいはＷｉ−Ｆｉ（Ｗｉｒｅｌｅｓｓ  Ｆｉｄｅｌｉｔｙ）等の無線通信によって通信可能に構成されている。
【００１２】
本実施形態における表示ユニット２０は、タッチセンサとディスプレイとが重畳して配置されたタッチパネル２１を有しており、タッチパネル２１を介して撮影装置１に対する入力操作を行うことが可能となっている。即ち、表示ユニット２０は、撮影装置１のコントローラとしての機能を有している。そして、表示ユニット２０は、カメラユニット１０が撮影した画像（ライブビュー画像や撮影画像等）を無線通信によって受信し、ディスプレイに表示する。
【００１３】
また、撮影装置１は、カメラユニット１０と表示ユニット２０との連結部にヒンジを備え、表示ユニット２０に装着されたカメラユニット１０の連結状態（チルト角）を変化させることが可能となっている。
具体的には、撮影装置１は、カメラユニット１０と表示ユニット２０とを直列に連結したストレート型の連結状態、表示ユニット２０をカメラユニット１０の背面側に折り畳んだカメラ型の連結状態とすることが可能である。表示ユニット２０において、ディスプレイの表示面（即ち、タッチセンサの入力面）は、ストレート型の連結状態ではカメラユニット１０のレンズ１１と同じ向き、カメラ型の連結状態ではカメラユニット１０のレンズ１１と反対の向き（裏面側）となる面に設置されている。
【００１４】
また、表示ユニット２０は、カメラユニット１０の着脱状態及び連結状態を検出する機能を備えている。本実施形態において、カメラユニット１０及び表示ユニット２０は、３軸加速度センサをそれぞれ備えており、これらの波形のパターンを比較することにより、カメラユニット１０が表示ユニット２０に装着されているか否か、装着されている場合には、連結状態がストレート型であるかカメラ型であるかを判定することができる。
【００１５】
例えば、カメラユニット１０と表示ユニット２０とにおける３軸加速度センサの検出結果が、相関性を有していない場合には、カメラユニット１０が表示ユニット２０から分離した状態であると判定することができる。また、カメラユニット１０と表示ユニット２０とにおける３軸加速度センサの検出結果が相関性を有し、各軸の位相が一致している場合には、カメラユニット１０が表示ユニット２０にストレート型で連結されていると判定することができる。さらに、カメラユニット１０と表示ユニット２０とにおける３軸加速度センサの検出結果が相関性を有し、図１Ａにおけるｘ軸及びｚ軸の位相が一致していない（逆位相である）場合には、カメラユニット１０が表示ユニット２０にカメラ型で連結されていると判定することができる。
【００１６】
また、本実施形態における撮影装置１は、カメラユニット１０及び表示ユニット２０それぞれにマイクを備えている。
図２〜図４は、撮影装置１におけるマイクの設置形態を示す模式図であり、図２はカメラユニット１０におけるマイクの設置形態、図３は表示ユニット２０におけるマイクの設置状態、図４はカメラユニット１０と表示ユニット２０とが連結されている際のマイクの設置形態を示している。
【００１７】
図２に示すように、カメラユニット１０は、レンズ１１を中心にした略同じ距離に２つのマイク１０Ａ，１０Ｂを備えており、マイク１０Ａは撮影方向を中心軸として左側、マイク１０Ｂは右側に備えられている。また、マイク１０Ａは撮影方向の右方（ここでは正面から４５度右方とする）に指向性が設定され、マイク１０Ｂは、撮影方向の左方（ここでは正面から４５度左方とする）に指向性が設定されている。これらマイク１０Ａ，１０Ｂを組み合わせて用いる場合、指向方向と設置位置との関係からＡＢ方式のステレオ録音となる。
【００１８】
また、図３に示すように、表示ユニット２０は、１つのマイク２０Ａを備えており、マイク２０Ｂは表示ユニット２０の正面視において幅方向右端に設置されている。また、マイク２０Ｂは、タッチパネル２１の正面より左方（ここでは正面から４５度左方とする）に指向性が設定されている。マイク２０Ｂを単独で用いる場合、モノラル録音となる。
さらに、図４に示すように、カメラユニット１０と表示ユニット２０とが連結された場合、ストレート型の連結状態では、マイク１０Ｂは、撮影方向の左方に指向性が設定され、マイク２０Ｂは、ディスプレイの正面より左方に指向性が設定されることとなる。したがって、マイク１０Ｂとマイク２０Ａとを組み合わせて用いる場合、指向方向と設置位置との関係からＸＹ方式のステレオ録音となる。なお、ストレート型の連結状態においても、マイク１０Ａ，１０Ｂを用いて、ＡＢ方式のステレオ録音を行うこと等も可能である。
【００１９】
［ハードウェア構成］
次に、撮影装置１のハードウェア構成について説明する。
【００２０】
図５は、カメラユニット１０のハードウェア構成を示すブロック図である。
図５に示すように、カメラユニット１０は、ＣＰＵ（Ｃｅｎｔｒａｌ  Ｐｒｏｃｅｓｓｉｎｇ  Ｕｎｉｔ）１１１と、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、バス１１４と、入出力インターフェース１１５と、ＧＰＳ受信部１１６と、撮像部１１７と、センサ部１１８と、入力部１１９と、出力部１２０と、記憶部１２１と、通信部１２２と、ドライブ１２３と、を備えている。
【００２１】
ＣＰＵ１１１は、ＲＯＭ１１２に記録されているプログラム、または、記憶部１２１からＲＡＭ１１３にロードされたプログラムに従って各種の処理を実行する。
【００２２】
ＲＡＭ１１３には、ＣＰＵ１１１が各種の処理を実行する上において必要なデータ等も適宜記憶される。
【００２３】
ＣＰＵ１１１、ＲＯＭ１１２及びＲＡＭ１１３は、バス１１４を介して相互に接続されている。このバス１１４にはまた、入出力インターフェース１１５も接続されている。入出力インターフェース１１５には、ＧＰＳ受信部１１６、撮像部１１７、センサ部１１８、入力部１１９、出力部１２０、記憶部１２１、通信部１２２及びドライブ１２３が接続されている。
【００２４】
ＧＰＳ受信部１１６は、ＧＰＳ衛星から受信したＧＰＳ信号に基づいて、カメラユニット１０の位置（緯度、経度、高度）及びＧＰＳによって示される現在時刻を検出する。
【００２５】
撮像部１１７は、レンズ１１と、イメージセンサ（不図示）と、を備えている。
【００２６】
レンズ１１は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
撮像部１１７にはまた、必要に応じて、焦点、露出、ホワイトバランス等の設定パラメータを調整する周辺回路が設けられる。
【００２７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１１７の出力信号として、ＣＰＵ１１１や図示しない画像処理部等に適宜供給される。
【００２８】
センサ部１１８は、３軸方向の加速度を測定する３軸加速度センサを含む各種センサを備えている。センサ部１１８は、予め設定されたサンプリング周期（例えば、０．１秒）毎に、３軸加速度センサ等のセンサによる測定を実行する。なお、センサ部１１８によって測定された加速度等のデータは、表示ユニット２０に逐次送信される。
【００２９】
入力部１１９は、各種ボタン等で構成され、ユーザの指示操作に応じて各種情報を入力する。
出力部１２０は、ランプやスピーカ等で構成され、光や音声を出力する。
記憶部１２１は、ＤＲＡＭ（Ｄｙｎａｍｉｃ  Ｒａｎｄｏｍ  Ａｃｃｅｓｓ  Ｍｅｍｏｒｙ）等の半導体メモリで構成され、各種データを記憶する。
通信部１２２は、端末間の直接的な無線通信によって他の装置との間で行う通信を制御する。本実施形態において、通信部１２２は、ＢＬＥやＷｉ−Ｆｉによって表示ユニット２０と通信する。
ドライブ１２３には、半導体メモリ等よりなるリムーバブルメディア１３１が適宜装着される。ドライブ１２３によってリムーバブルメディア１３１から読み出されたプログラムは、必要に応じて記憶部１２１にインストールされる。また、リムーバブルメディア１３１は、記憶部１２１に記憶されている画像のデータ等の各種データも、記憶部１２１と同様に記憶することができる。
【００３０】
図６は、表示ユニット２０のハードウェアの構成を示すブロック図である。
図６に示すように、表示ユニット２０は、ＣＰＵ２１１と、ＲＯＭ２１２と、ＲＡＭ２１３と、バス２１４と、入出力インターフェース２１５と、センサ部２１６と、入力部２１７と、出力部２１８と、記憶部２１９と、通信部２２０と、ドライブ２２１と、を備えている。
【００３１】
ＣＰＵ２１１は、ＲＯＭ２１２に記録されているプログラム、または、記憶部２１９からＲＡＭ２１３にロードされたプログラムに従って各種の処理を実行する。
【００３２】
ＲＡＭ２１３には、ＣＰＵ２１１が各種の処理を実行する上において必要なデータ等も適宜記憶される。
【００３３】
ＣＰＵ２１１、ＲＯＭ２１２及びＲＡＭ２１３は、バス２１４を介して相互に接続されている。このバス２１４にはまた、入出力インターフェース２１５も接続されている。入出力インターフェース２１５には、センサ部２１６、入力部２１７、出力部２１８、記憶部２１９、通信部２２０及びドライブ２２１が接続されている。
これらのうち、入力部２１７、出力部２１８及び通信部２２０以外の構成は、図３において対応する各部分と同様である。なお、ドライブ２２１には、ドライブ１２３と同様に、半導体メモリ等よりなるリムーバブルメディア２３１が適宜装着される。
【００３４】
入力部２１７は、上記タッチパネル２１に含まれるタッチセンサや各種ボタン等で構成され、ユーザの指示操作に応じて各種情報を入力する。
出力部２１８は、上記タッチパネル２１に含まれるディスプレイやスピーカ等で構成され、画像や音声を出力する。
通信部２２０は、端末間の直接的な無線通信によって他の装置との間で行う通信を制御する。本実施形態において、通信部２２０は、ＢＬＥやＷｉ−Ｆｉによって表示ユニット２０と通信する。また、通信部２２０は、インターネットを含むネットワークを介して他の装置（図示せず）との間で行う通信を制御する。
【００３５】
［機能的構成］
図７は、表示ユニット２０の機能的構成のうち、撮影制御処理及び再生処理を実行するための機能的構成を示す機能ブロック図である。
撮影制御処理とは、カメラユニット１０及び表示ユニット２０の着脱状態及び連結状態に応じた録音方式を設定して、撮影を実行する一連の処理である。
また、再生処理とは、音声のデータの録音方式に対応する音声信号処理によって、撮像画像のデータと共に音声を再生する一連の処理である。
【００３６】
撮影制御処理が実行される場合、図５に示すように、ＣＰＵ２１１において、状態検出部１５１と、撮影モード設定部１５２と、録音方式設定部１５３と、撮影データ取得部１５４と、撮影データ記憶制御部１５５と、再生処理部１５６と、が機能する。
また、記憶部２１９の一領域には、撮影データ記憶部１７１が設定される。
撮影データ記憶部１７１には、カメラユニット１０から受信した音声を含む画像のデータが記憶される。
【００３７】
状態検出部１５１は、カメラユニット１０のセンサ部１１８によって検出された３軸方向の加速度と、表示ユニット２０のセンサ部２１６によって検出された３軸方向の加速度とを取得し、これらの波形パターンを比較することにより、カメラユニット１０と表示ユニット２０との着脱状態及び連結状態を検出する。このとき、上述のように、カメラユニット１０と表示ユニット２０とにおける３軸加速度センサの検出結果が、相関性を有していない場合には、カメラユニット１０が表示ユニット２０から分離した状態であると判定することができる。また、カメラユニット１０と表示ユニット２０とにおける３軸加速度センサの検出結果が相関性を有し、各軸の位相が一致している場合には、カメラユニット１０が表示ユニット２０にストレート型で連結されていると判定することができる。さらに、カメラユニット１０と表示ユニット２０とにおける３軸加速度センサの検出結果が相関性を有し、図１Ａにおけるｘ軸及びｚ軸の位相が一致していない（逆位相である）場合には、カメラユニット１０が表示ユニット２０にカメラ型で連結されていると判定することができる。
【００３８】
撮影モード設定部１５２は、状態検出部１５１の検出結果またはユーザの操作に応じて、予め用意された複数の撮影モードのいずれかに設定する。本実施形態においては、複数の撮影モードとして、撮影者が自らを撮影する自撮りモードと、風景やスナップ写真を撮影するノーマルモードと、カメラユニット１０を表示ユニット２０から分離させて多様な撮影形態で撮影を行うリモート撮影モードが用意されている。
録音方式設定部１５３は、状態検出部１５１によって検出されたカメラユニット１０と表示ユニット２０との着脱状態及び連結状態と、撮影モード設定部１５２によって設定された撮影モードとに基づいて、撮影時の録音方式を設定する。具体的には、録音方式設定部１５３は、撮影時に使用するマイクと、使用するマイクによって実行する録音方式とを設定する。
【００３９】
撮影データ取得部１５４は、撮影データとして、カメラユニット１０の撮像部１１７によって取得された撮像画像のデータと、録音方式設定部１５３によって設定された撮影に使用するマイクによって取得された音声のデータとを取得する。
撮影データ記憶制御部１５５は、撮影の実行が指示入力されることに応じて、撮影データ取得部１５４によって取得された撮像画像のデータ及び音声のデータを対応付けて、撮影データ記憶部１７１に記憶する。このとき、撮影データ記憶制御部１５５は、撮影に使用されたマイク及び録音方式設定部１５３によって設定された録音方式を音声のデータと併せて記憶する。
【００４０】
再生処理部１５６は、ユーザにより撮像画像のデータの再生が指示された場合に、音声のデータの録音方式に対応する音声信号処理によって、撮像画像と共に音声を再生する。即ち、再生処理部１５６は、撮像画像のデータを再生してディスプレイに表示すると共に、撮影に使用された各マイクの音声をステレオ音声における左右の音声またはモノラル音声としてスピーカから出力する。このとき、再生処理部１５６は、音声のデータがステレオ録音されている場合、音声のデータと併せて記憶されている録音方式に基づいて、各マイクの音声を音声信号処理し、スピーカから出力する。
【００４１】
図８は、図７の機能的構成を有する図１の表示ユニット２０が実行する撮影制御処理の流れを説明するフローチャートである。
撮影制御処理は、ユーザによる入力部２１７への撮影制御処理の開始を指示する操作が行われることにより開始される。
【００４２】
ステップＳ１において、状態検出部１５１は、カメラユニット１０のセンサ部１１８によって検出された３軸方向の加速度と、表示ユニット２０のセンサ部２１６によって検出された３軸方向の加速度とを取得する。
【００４３】
ステップＳ２において、状態検出部１５１は、カメラユニット１０における加速度と、表示ユニット２０における加速度との波形パターンが全ての軸において同位相であるか否かの判定を行う。
カメラユニット１０における加速度と、表示ユニット２０における加速度との波形パターンが各軸において同位相である場合、ステップＳ２においてＹＥＳと判定されて、処理はステップＳ３に移行する。
一方、カメラユニット１０における加速度と、表示ユニット２０における加速度との波形パターンがいずれかの軸において同位相でない場合、ステップＳ２においてＮＯと判定されて、処理はステップＳ４に移行する。
【００４４】
ステップＳ３において、状態検出部１５１は、カメラユニット１０が表示ユニット２０にストレート型で連結されていると判定する。
ステップＳ３の後、処理はステップＳ７に移行する。
ステップＳ４において、状態検出部１５１は、カメラユニット１０における加速度と、表示ユニット２０における加速度との波形パターンがｘ軸及びｚ軸の位相が逆位相、かつ、ｙ軸の位相が同位相であるか否かの判定を行う。
カメラユニット１０における加速度と、表示ユニット２０における加速度との波形パターンがｘ軸及びｚ軸の位相が逆位相、かつ、ｙ軸の位相が同位相である場合、ステップＳ４においてＹＥＳと判定されて、処理はステップＳ５に移行する。
一方、カメラユニット１０における加速度と、表示ユニット２０における加速度との波形パターンがｘ軸及びｚ軸の位相が逆位相、かつ、ｙ軸の位相が同位相である場合以外には、ステップＳ４においてＮＯと判定されて、処理はステップＳ６に移行する。
【００４５】
ステップＳ５において、状態検出部１５１は、カメラユニット１０が表示ユニット２０にカメラ型で連結されていると判定する。
ステップＳ５の後、処理はステップＳ７に移行する。
ステップＳ６において、状態検出部１５１は、カメラユニット１０が表示ユニット２０から分離した状態であると判定する。
ステップＳ７において、状態検出部１５１は、判定したカメラユニット１０と表示ユニット２０との着脱状態または連結状態を現在の状態として記憶する。
【００４６】
ステップＳ８において、撮影モード設定部１５２は、状態検出部１５１の検出結果またはユーザの操作に応じて、予め用意された複数の撮影モードのいずれかに設定する。
ステップＳ９において、録音方式設定部１５３は、状態検出部１５１によって検出されたカメラユニット１０と表示ユニット２０との着脱状態及び連結状態と、撮影モード設定部１５２によって設定された撮影モードとに基づいて、撮影時の録音方式を設定する。このとき、録音方式設定部１５３は、撮影モードが自撮りモードの場合、マイク１０Ａとマイク２０Ａとを用いたＸＹ方式のステレオ録音、撮影モードがノーマルモードの場合、マイク１０Ａ，１０Ｂを用いたＡＢ方式のステレオ録音またはこれに加えてマイク２０Ａを用いたモノラル方式の録音、撮影モードがリモート撮影モードの場合、マイク１０Ａ，１０Ｂを用いたＡＢ方式のステレオ録音を候補としてユーザに提示し、ユーザによる設定の確定入力を受け付ける。これらの他、ユーザが任意に使用するマイク及び録音方式を指定するマニュアル設定を受け付けることとしてもよい。
【００４７】
ステップＳ１０において、撮影データ取得部１５４は、撮影データとして、カメラユニット１０の撮像部１１７によって取得された撮像画像のデータと、録音方式設定部１５３によって設定された撮影に使用するマイクによって取得された音声のデータとを取得する。
ステップＳ１１において、撮影データ記憶制御部１５５は、ユーザにより撮影の実行が指示されたか否かの判定を行う。
ユーザにより撮影の実行が指示された場合、ステップＳ１１においてＹＥＳと判定されて、処理はステップＳ１２に移行する。
一方、ユーザにより撮影の実行が指示されていない場合、ステップＳ１１においてＮＯと判定されて、処理はステップＳ１０に移行する。
【００４８】
ステップＳ１２において、撮影データ記憶制御部１５５は、撮影データ取得部１５４によって取得された撮像画像のデータ及び音声のデータを対応付けて、撮影データ記憶部１７１に記憶する。このとき、撮影に使用されたマイク及び録音方式設定部１５３によって設定された録音方式が音声のデータと併せて記憶される。
ステップＳ１３において、撮影データ記憶制御部１５５は、ユーザにより撮影制御処理の終了が指示されたか否かの判定を行う。
ユーザにより撮影制御処理の終了が指示された場合、ステップＳ１３においてＹＥＳ
と判定されて、撮影制御処理は終了する。
一方、ユーザにより撮影制御処理の終了が指示されていない場合、ステップＳ１３においてＮＯと判定されて、処理はステップＳ１に移行する。
【００４９】
図９は、図７の機能的構成を有する図１の表示ユニット２０が実行する再生処理の流れを説明するフローチャートである。
再生処理は、ユーザによる入力部２１７への再生処理の開始を指示する操作が行われることにより開始される。
ステップＳ２１において、再生処理部１５６は、再生対象となる撮像画像のデータ及び音声のデータを撮影データ記憶部１７１から読み出す。
ステップＳ２２において、再生処理部１５６は、読み出された音声のデータの録音方式を判定する。
【００５０】
ステップＳ２３において、再生処理部１５６は、音声のデータの録音方式に対応する音声信号処理によって、撮像画像と共に音声を再生する。即ち、再生処理部１５６は、撮像画像のデータを再生してディスプレイに表示すると共に、撮影に使用された各マイクの音声をステレオ音声における左右の音声またはモノラル音声としてスピーカから出力する。このとき、再生処理部１５６は、音声のデータがステレオ録音されている場合、音声のデータと併せて記憶されている録音方式に基づいて、各マイクの音声を音声信号処理し、スピーカから出力する。
【００５１】
ステップＳ２４において、再生処理部１５６は、ユーザにより再生処理の終了がされたか否かの判定を行う。
ユーザにより再生処理の終了がされた場合、ステップＳ２４においてＹＥＳと判定されて、再生処理は終了する。
一方、ユーザにより再生処理の終了がされていない場合、ステップＳ２４においてＮＯと判定されて、処理はステップＳ２１に移行する。
【００５２】
以上のように、本実施形態に係る撮影装置１は、カメラユニット１０及び表示ユニット２０によって構成され、これらの着脱状態及び連結状態を変化させることが可能な構成を有している。また、表示ユニット２０は、カメラユニット１０の着脱状態及び連結状態を検出する機能を備え、カメラユニット１０と表示ユニット２０との着脱状態及び連結状態と、設定されている撮影モードとに基づいて、撮影時の録音方式を設定する。そして、表示ユニット２０は、撮像画像のデータ及び音声のデータを対応付けて、撮影に使用されたマイク及び録音方式と共に、撮影データ記憶部１７１に記憶する。このように記憶された撮像画像のデータ及び音声のデータが再生される場合、ＣＰＵ２１１が再生処理のためのプログラムを実行することにより、音声のデータの録音方式に対応する音声信号処理によって、撮像画像のデータと共に音声を再生する。
したがって、撮影装置１によれば、複数のユニットによって構成される撮影装置の録音機能をより多様なものとすることができる。
【００５３】
［変形例１］
上述の実施形態において、カメラユニット１０と表示ユニット２０とが分離可能な撮影装置１（分離式の撮影装置１）を例に挙げて説明したが、本発明は分離式に限らず、種々の方式の撮影装置に適用することができる。
図１０は、チルト機構を採用した撮影装置に本発明を適用した例を示す模式図である。また、図１１は、スイバル機構を採用した撮影装置に本発明を適用した例を示す模式図である。
チルト機構とは、レンズ１１（鏡筒）が設置された面の裏面側に設置されているディスプレイ（表示ユニット２０）が、その１辺において筐体（カメラユニット１０）とヒンジによって連結され、表示面を撮影方向に向けることが可能な機構である。
また、スイバル機構とは、カメラユニット１０と表示ユニット２０とが第１の回転軸を中心に回転可能に連結されていると共に、カメラユニット１０と表示ユニット２０とを囲う枠体４が、カメラユニット１０に対して第１の回転軸と直交する第２の回転軸を中心に回転可能に連結される機構である。なお、枠体４についてはスイバル式を構成する上では必須の構成でなく、把持の為のグリップとして用いられる。
【００５４】
図１０及び図１１に示すように、複数のユニットにおける連結状態を変化させることが可能な種々の撮影装置において、それぞれのユニットにマイクを備え、連結状態に応じて変化する位置関係に応じて、録音方式を選択して撮影を行うことができる。
即ち、複数のユニットによって構成される撮影装置の録音機能をより多様なものとすることができる。
【００５５】
［変形例２］
上述の実施形態において、撮影の実行時に、複数のマイクによって音声を取得して記憶しておき、撮影された画像の再生時に、マイク及び録音方式を指定して、再生に用いる音声を選択可能な構成とすることができる。
例えば、マイク１０Ａ，１０Ｂ及びマイク２０Ａによって録音される音声のデータを全て記憶しておき、再生時に、再生処理部１５６が、使用する音声のデータの適否をユーザが判断した結果を受け付けることができる。そして、再生処理部１５６は、選択された音声のデータを取得したマイクの位置関係に応じた録音方式に従って、音声を再生することが可能である。
これにより、複数のユニットによって構成される撮影装置の録音機能をさらに多様なものすることができる。
【００５６】
以上のように構成される撮影装置１は、カメラユニット１０と、表示ユニット２０と、録音方式設定部１５３と、を備える。
カメラユニット１０と表示ユニット２０とは、着脱状態または連結状態をとることが可能である。
カメラユニット１０は、カメラユニット１０において基準とする第１の方向から互いに異なる方向に指向方向が設定された複数のマイクを備える。
表示ユニット２０は、表示ユニット２０において基準とする第２の方向と同一または異なる方向に指向方向が設定された１つのマイクを備える。
録音方式設定部１５３は、カメラユニット１０と表示ユニット２０との着脱状態または連結状態に応じて、少なくとも複数のマイクの１つを含む２つのマイクを選択する。
これにより、カメラユニット１０と表示ユニット２０の着脱状態及び連結状態に応じて、カメラユニット１０のマイクの１つを含む２つのマイクを選択することができる。
したがって、複数のユニットによって構成される撮影装置の録音機能をより多様なものとすることができる。
【００５７】
録音方式設定部１５３は、選択された２つのマイクに基づいて、録音方式をＡＢ方式のステレオ録音またはＸＹ方式のステレオ録音のいずれかに設定する。
これにより、選択されたマイクに応じた適切なステレオ録音の方式を選択することが可能となる。
【００５８】
表示ユニット２０に備えられたマイクは、カメラユニット１０と表示ユニット２０とが特定の連結状態となる場合に、カメラユニット１０に備えられた複数のマイクの一方と近接する位置に設置されると共に、この近接したマイクの指向方向と交差する指向方向に設定される。
【００５９】
また、撮影装置１は、撮像部１１７を備える。
第１の方向とは撮像部１１７の撮像方向である。
これにより、撮影装置１が撮影を行う際に、複数のマイクによって、ＡＢ方式のステレオ録音に適したマイクの位置関係と、ＸＹ方式のステレオ録音に適したマイクの位置関係とを実現することが可能となる。
【００６０】
複数のマイクは、撮像部１１７の撮影方向よりも外方に向けて夫々の指向方向が設定される。
これにより、撮像部１１７による撮影時にＡＢ方式のステレオ録音を行うことが可能な撮影装置１において、ＸＹ方式のステレオ録音を行うことが可能となる。
【００６１】
録音方式設定部１５３は、撮像部１１７を使用する予め用意された複数の撮影モードから特定の撮影モードを選択する。
録音方式設定部１５３は、選択された２つのマイクと、更に、選択された特定の撮影モードとに基づいて、録音方式を設定する。
これにより、撮影モードに応じた適切な録音方式に設定することが可能となる。
【００６２】
特定の撮影モードには自撮りモードが含まれる。
録音方式設定部１５３は、自撮りモードにおいて、カメラユニット１０と表示ユニット２０とが特定の連結状態の時は、複数のマイクの一方と、表示ユニット２０のマイクとによるＡＢ方式のステレオ録音に設定する一方、カメラユニット１０と表示ユニット２０とが特定の連結状態以外の時は、複数のマイクによるＸＹ方式のステレオ録音に設定する。
これにより、自撮りモードに設定された場合に、自撮りされるユーザの音声をより適切に録音可能な録音方式に設定することができると共に、自撮りモード以外に設定された場合に、被写体の音声をより適切に録音可能な録音方式に設定することができる。
【００６３】
撮影装置１は、ディスプレイを含むタッチパネル２１を表示ユニット２０に備える。
第２の方向とはタッチパネル２１の表示方向である。
これにより、タッチパネル２１の表示方向を基準として、マイクの指向性を設定することができる。
【００６４】
また、撮影装置１は、再生処理部１５６を備える。
再生処理部１５６は、カメラユニット１０及び表示ユニット２０に備えられた複数のマイクによって録音された音声のデータの中から、再生に使用する音声のデータの指定を受け付け、指定された音声のデータを録音したマイクの位置関係に応じた録音方式に従って、音声を再生する。
これにより、複数のユニットによって構成される撮影装置の録音機能をさらに多様なものすることができる。
【００６５】
また、撮影装置１は、センサ部１１８，２１６と、状態検出部１５１と、を備える。
センサ部１１８，２１６は、複数のユニットそれぞれの加速度を検出する。
状態検出部１５１は、検出されたユニットそれぞれにおける加速度のパターンの一致状態に基づいて、複数のユニットの着脱状態または連結状態を検出する。
これにより、撮影装置１を構成する複数のユニットの着脱状態または連結状態を適確に検出することが可能となる。
【００６６】
なお、本発明は、上述の実施形態に限定されるものではなく、本発明の目的を達成できる範囲での変形、改良等は本発明に含まれるものである。
【００６７】
上述の実施形態において、表示ユニット２０のマイクの指向方向は、カメラユニット１０の一方のマイクと指向方向が異なればよく、例えば、ディスプレイの正面方向に指向方向を設定することとしてもよい。
また、上述の実施形態において、表示ユニット２０にはマイク２０Ａを備えることとして説明したが、表示ユニット２０に複数のマイクを備えることとしてもよい。
【００６８】
また、上述の実施形態において、マイクの指向方向について説明したが、マイクの指向方向は、撮影装置１を上面視した場合に上述の関係となればよく、例えば、２つのマイクの指向方向が交差する場合、高さ方向に距離があっても上面視において交差していればよい。
また、上述の実施形態において、状態検出部１５１は、カメラユニット１０及び表示ユニット２０の３軸方向の加速度の波形パターンを比較することにより、カメラユニット１０と表示ユニット２０との着脱状態及び連結状態を検出するものとして説明したが、これに限られない。例えば、着脱機構（ロック機構等）や連結部（ヒンジ等）に接触センサや力センサ等のセンサを備え、センサの検出結果に基づいて、カメラユニット１０と表示ユニット２０との着脱状態及び連結状態を検出することとしてもよい。
【００６９】
また、上述の実施形態では、本発明が適用される撮影装置１は、デジタルカメラを例として説明したが、特にこれに限定されない。
例えば、本発明は、録音機能を有する電子機器一般に適用することができる。具体的には、例えば、本発明は、ノート型のパーソナルコンピュータ、ビデオカメラ、携帯電話機、スマートフォン、タブレット端末、ポータブルゲーム機等に適用可能である。
【００７０】
上述した一連の処理は、ハードウェアにより実行させることもできるし、ソフトウェアにより実行させることもできる。
換言すると、図７の機能的構成は例示に過ぎず、特に限定されない。即ち、上述した一連の処理を全体として実行できる機能が撮影装置１に備えられていれば足り、この機能を実現するためにどのような機能ブロックを用いるのかは特に図７の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００７１】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７２】
このようなプログラムを含む記録媒体は、ユーザにプログラムを提供するために装置本体とは別に配布される図６のリムーバブルメディア２３１により構成されるだけでなく、装置本体に予め組み込まれた状態でユーザに提供される記録媒体等で構成される。リムーバブルメディア２３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図６のＲＯＭ２１２や、図６の記憶部２１９に含まれる半導体メモリ等で構成される。
【００７３】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００７４】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００７５】
以下に、本願の出願当初の特許請求の範囲に記載された発明を付記する。
［付記１］
着脱状態または連結状態をとることが可能な第１のユニットと第２のユニットとを含み、
前記第１のユニットは、当該第１のユニットにおいて基準とする第１の方向から互いに異なる方向に指向方向が設定された複数のマイクを備え、
前記第２のユニットは、当該第２のユニットにおいて基準とする第２の方向と同一または異なる方向に指向方向が設定された１つのマイクを備え、
前記第１のユニットと前記第２のユニットとの着脱状態または連結状態に応じて、少なくとも前記複数のマイクの１つを含む２つのマイクを選択する第１の選択手段、
を備えることを特徴とするマイク装置。
［付記２］
前記第１の選択手段により選択された２つのマイクに基づいて、録音方式をＡＢ方式のステレオ録音またはＸＹ方式のステレオ録音のいずれかに設定する録音方式設定手段を更に備えることを特徴とする付記１に記載のマイク装置。
［付記３］
前記第２のユニットに備えられた前記マイクは、前記第１のユニットと前記第２のユニットとが特定の連結状態となる場合に、前記第１のユニットに備えられた複数のマイクの一方と近接する位置に設置されると共に、この近接したマイクの指向方向と交差する指向方向に設定されることを特徴とする付記１又は２に記載のマイク装置。
［付記４］
前記第１のユニットは、撮像手段を更に備え、
前記第１の方向とは前記撮像手段の撮像方向であることを特徴とする付記２に記載のマイク装置。
［付記５］
前記複数のマイクは、前記撮像手段の撮影方向よりも外方に向けて夫々の指向方向が設定されることを特徴とする付記４に記載のマイク装置。
［付記６］
前記撮像手段を使用する予め用意された複数の撮影モードから特定の撮影モードを選択する第２の選択手段を更に備え、
前記録音方式設定手段は、前記第１の選択手段によって選択された２つのマイクと、更に、前記第２の選択手段によって選択された特定の撮影モードとに基づいて、録音方式を設定することを特徴とする付記４または５に記載のマイク装置。
［付記７］
前記特定の撮影モードには自撮りモードが含まれ、
前記録音方式設定手段は、前記自撮りモードにおいて、前記第１のユニットと前記第２のユニットとが前記特定の連結状態の時は、前記複数のマイクの一方と、前記第２のユニットの前記マイクとによるＡＢ方式のステレオ録音に設定する一方、前記第１のユニットと前記第２のユニットとが前記特定の連結状態以外の時は、前記複数のマイクによるＸＹ方式のステレオ録音に設定することを特徴とする付記６に記載のマイク装置。
［付記８］
前記第２のユニットは、表示手段を更に備え、
前記第２の方向とは前記表示手段の表示方向であることを特徴とする付記１乃至７のいずれかに記載のマイク装置。
［付記９］
録音された音声の再生を実行する再生処理手段を更に備え、
前記再生処理手段は、前記第１のユニット及び前記第２のユニットに備えられた複数のマイクによって録音された音声のデータの中から、再生に使用する音声のデータの指定を受け付け、指定された音声のデータを録音した前記マイクの位置関係に応じた録音方式に従って、音声を再生することを特徴とする付記１乃至８のいずれかに記載のマイク装置。
［付記１０］
前記複数のユニットそれぞれの加速度を検出する加速度検出手段と、
検出された前記ユニットそれぞれにおける加速度のパターンの一致状態に基づいて、前記複数のユニットの着脱状態または連結状態を検出する状態検出手段と、
を備えることを特徴とする付記１乃至９のいずれかに記載のマイク装置。
［付記１１］
着脱状態または連結状態をとることが可能な第１のユニットと第２のユニットとを含み、前記第１のユニットは、当該第１のユニットにおいて基準とする第１の方向から互いに異なる方向に指向方向が設定された複数のマイクを備え、前記第２のユニットは、当該第２のユニットにおいて基準とする第２の方向と同一または異なる方向に指向方向が設定された１つのマイクを備える電子機器のマイク制御方法であって、
前記第１のユニットと前記第２のユニットとの着脱状態または連結状態に応じて、少なくとも前記複数のマイクの１つを含む２つのマイクを選択するステップを含むことを特徴とするマイク制御方法。
［付記１２］
着脱状態または連結状態をとることが可能な第１のユニットと第２のユニットとを含み、前記第１のユニットは、当該第１のユニットにおいて基準とする第１の方向から互いに異なる方向に指向方向が設定された複数のマイクを備え、前記第２のユニットは、当該第２のユニットにおいて基準とする第２の方向と同一または異なる方向に指向方向が設定された１つのマイクを備える電子機器を制御するコンピュータを、
前記第１のユニットと前記第２のユニットとの着脱状態または連結状態に応じて、少なくとも前記複数のマイクの１つを含む２つのマイクを選択する選択手段として機能させることを特徴とするプログラム。
【符号の説明】
【００７６】
１、２、３・・・撮影装置（電子機器、マイク装置），４・・・枠体，１０・・・カメラユニット，１１・・・レンズ、２０・・・表示ユニット，２１・・・タッチパネル、１１１、２１１・・・ＣＰＵ，１１２、２１２・・・ＲＯＭ，１１３、２１３・・・ＲＡＭ，１１４、２１４・・・バス，１１５、２１５・・・入出力インターフェース，１１６・・・ＧＰＳ受信部，１１７・・・撮像部，１１８、２１６・・・センサ部，１１９、２１７・・・入力部，１２０、２１８・・・出力部，１２１、２１９・・・記憶部，１２２、２２０・・・通信部，１２３、２２１・・・ドライブ，１３１、２３１・・・リムーバブルメディア，１５１・・・状態検出部，１５２・・・撮影モード設定部，１５３・・・録音方式設定部，１５４・・・撮影データ取得部，１５５・・・撮影データ記憶制御部，１５６・・・再生処理部，１７１・・・撮影データ記憶部
【図１Ａ】
2019062317.tif 000003
【図１Ｂ】
2019062317.tif 000004
【図２】
2019062317.tif 000005
【図３】
2019062317.tif 000006
【図４】
2019062317.tif 000007
【図５】
2019062317.tif 000008
【図６】
2019062317.tif 000009
【図７】
2019062317.tif 000010
【図８】
2019062317.tif 000011
【図９】
2019062317.tif 000012
【図１０】
2019062317.tif 000013
【図１１】
2019062317.tif 000014